Podtech/llm-jp-corpus-v4-ja_patent huggingface dataset:
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
ビーム経路（１３）に沿って伝播するレーザビーム（１２）から生成され、レーザ光源（１０）から放出され、かつ第１の方向（ｘ）に、該第１の方向（ｘ）に対して垂直な第２の方向（ｙ）の寸法をある一定の倍数で超える寸法を有するエネルギの制御された幅狭の照射線（７０）によって作業台（６８）上の試料（６６）を照射するための照射装置であって、
レーザビーム（１２）を線形状（７０ａ）へと成形するためのビーム成形光学系（８０）と、
前記レーザビーム（１２）のエネルギを測定するためのエネルギ測定デバイス（５８）と、
前記測定されたレーザビームエネルギに対応して制御信号（７８）を生成し、かつ該制御信号（７８）に対応してレーザ光源（１０）のエネルギ出力を制御するためのエネルギ制御系（７６）と、
を含み、
前記制御信号（７８）は、第１の方向（ｘ）における前記線形状ビーム（７０ａ）の寸法に沿って平均されたビームエネルギを示す、
ことを特徴とする装置。
【請求項２】
前記エネルギ測定デバイス（５８）は、前記線形状ビーム（７０ａ）の一部分（７０ｂ）を分離するためのビームスプリッタ（８４）と該一部分（７０ｂ）を検出するための検出器（８６）とを含むことを特徴とする請求項１に記載の照射装置。
【請求項３】
前記検出器（８６）は、前記部分（７０ｂ）を収集するために前記第１の方向（ｘ）に並べて配置された複数のフォトダイオード（９０ａ，９０ｂ，９０ｃ，９０ｄ）を含むことを特徴とする請求項２に記載の照射装置。
【請求項４】
前記検出器（８６）は、前記部分（７０ｂ）を前記複数のフォトダイオード（９０ａ，９０ｂ，９０ｃ，９０ｄ）上に集束させるための複数の球面レンズ（８８ａ，８８ｂ，８８ｃ，８８ｄ）を更に含むことを特徴とする請求項３に記載の照射装置。
【請求項５】
前記フォトダイオード（９０ａ，９０ｂ，９０ｃ，９０ｄ）の少なくとも１つには、電気的な逆バイアス（Ｖ0）が印加されることを特徴とする請求項２又は請求項３に記載の照射装置。
【請求項６】
ビーム経路（１３）に沿って伝播するレーザビーム（１２）から生成され、レーザ光源（１０）から放出され、かつ第１の方向（ｘ）に、該第１の方向（ｘ）に対して垂直な第２の方向（ｙ）の寸法を超える寸法を有する、制御されたエネルギの鮮明な照射線（７０）によって作業台（６８）上の試料（６６）を照射するための照射装置であって、
レーザビーム（１２）を線形状（７０ａ）へと成形するためのビーム成形光学系（８０）と、
前記レーザビーム（１２）のエネルギを測定するためのエネルギ測定デバイス（５８）と、
前記測定されたレーザビームエネルギに対応して制御信号（７８）を生成し、かつ該制御信号（７８）に対応してレーザ光源（１０）のエネルギ出力及び／又は前記ビーム成形光学系（８０）の１つ又はそれよりも多くの構成要素の伝達率を制御するためのエネルギ制御系（７６）と、
を含み、
前記エネルギ測定デバイス（５８）は、前記ビーム成形光学系（８０）の後で、かつ作業台（６８）の前で、ビーム経路（１３）に配置され、
前記エネルギ測定デバイス（５８）は、前記線形状ビーム（７０ａ）の一部分（７０ｂ）を分離するためのビームスプリッタ（８４）と該一部分（７０ｂ）を検出するための検出器（８６）とを含み、
前記検出器（８６）は、前記一部分（７０ｂ）を収集するために前記第１の方向（ｘ）に並べて配置された複数のフォトダイオード（９０ａ，９０ｂ，９０ｃ，９０ｄ）を含む、
ことを特徴とする装置。
【請求項７】
前記制御信号（７８）は、前記第１の方向（ｘ）における前記線形状ビーム（７０ａ）の寸法に沿って平均化されたビームエネルギを示すことを特徴とする請求項６に記載の照射装置。
【請求項８】
前記検出器（８６）は、前記一部分（７０ｂ）を前記複数のフォトダイオード（９０ａ，９０ｂ，９０ｃ，９０ｄ）上に集束させるための複数のレンズ（８８ａ，８８ｂ，８８ｃ，８８ｄ）を更に含むことを特徴とする請求項６に記載の照射装置。
【請求項９】
前記第２の方向（ｙ）に前記線形状ビーム（７０ａ）を縮小するための縮小光学系（８２）を更に含むことを特徴とする請求項６から請求項８のいずれか１項に記載の照射装置。
【請求項１０】
前記線形状ビーム（７０ａ）を前記試料（６６）上に結像するための結像光学系（８２）を更に含むことを特徴とする請求項６から請求項９のいずれか１項に記載の照射装置。
【請求項１１】
前記ビーム成形光学系（８０）は、前記レーザビーム（１２）を少なくとも前記第１の方向（ｘ）におけるその寸法に沿って均一化するためのホモジナイザー（４０）を含むことを特徴とする請求項６から請求項１０のいずれか１項に記載の照射装置。
【請求項１２】
前記ビーム成形光学系（８０）は、少なくとも前記第２の方向（ｙ）において前記レーザビーム（１２）の寸法を定めるための視野定義光学デバイス（５４）を含むことを特徴とする請求項６から請求項９のいずれか１項に記載の照射装置。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
コンベアベルトの状態を決定する方法であって、
コンベヤベルト（１０２）の支持構造（１０８ａ〜１０８ｈ、２０２、２１０、２１２、２１４a〜２１４ｂ）の特性を、コンベヤベルトと機械的に結合されたセンサ（１１０〜１１４）を用いて感知する特性感知ステップと、
感知された特性に対応する信号を無線送信するステップと、
送信された信号に基づいて、支持構造の状態を決定する状態決定ステップと
を含むことを特徴とする方法。
【請求項２】
請求項１記載の方法において、支持構造は、複数の支持構造のうちの第１の支持構造であり、
特性感知ステップは、支持構造のそれぞれの特性を感知するステップと、該感知された特性を支持構造の識別子に関連付けるステップと含み、
信号を無線送信するステップは、感知された特性に対応する１又は複数の信号及び関連付けされた識別子を無線送信するステップを含み、
状態決定ステップは、１又は複数の送信された信号に基づいて、支持構造のそれぞれの状態を決定するステップを含む
ことを特徴とする方法。
【請求項３】
請求項１記載の方法において、支持構造は複数のエレメントを備えており、
特性感知ステップは、エレメントのそれぞれの特性を、コンベヤベルトに機械的に結合された対応する複数のセンサを用いて感知するステップを含み、
信号を無線送信するステップは、感知されたエレメントの特性に対応する１又は複数の信号を無線送信するステップを含み、
状態決定ステップは、１又は複数の送信された信号に基づいて、それぞれのエレメントの特性を決定するステップを含む
ことを特徴とする方法。
【請求項４】
コンベアベルトの状態を決定するシステム（１００）であって、
コンベヤベルト(１０２）と、
コンベヤベルトと関連する支持構造（１０８a〜１０８h、２０２、２１０、２１２、２１４a〜２１４ｂ）と、
コンベヤベルトと機械的に結合されたセンサ（１１０〜１１４）と、
監視システム（１２０）と
を備え、
センサは支持構造の特性を感知し、感知した特性に対応する信号を監視システムに無線送信するよう構成されており、
監視システムは、送信された信号に基づいて、支持構造の状態を決定するよう構成されている
ことを特徴とするシステム。
【請求項５】
コンベアベルトの状態を決定するシステム（１００）であって、
コンベヤベルト（１０２）と機械的に結合されており、コンベヤベルトと関連する支持構造（１０８a〜１０８ｈ、２０２、２１０、２１２、２１４a〜２１４ｂ）の特性を検出し、検出された特性に応答して第１の信号を生成するようセンサ（３０２〜３０）と、
センサから第１の信号を受信し、第１の信号を記憶し、記憶した第１の信号に基づいて第２の信号を生成するよう構成されたコントローラ（３０８）と、
第２の信号を受信し、第２の信号を無線送信する無線インターフェース（３１０）と
を備えていることを特徴とするシステム。
【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
画像記録可能媒体から間紙を分離するための方法であって、
間紙ピッカの第１の部分が、前記画像記録可能な材料上に第１の点において圧力をかけるように前記間紙ピッカを前記間紙に接触させるステップと、
前記間紙上に第２の点に前記間紙ピッカのリトラクションローラ部分で圧力をかけるステップと、
前記リトラクションローラを回転させることによって、前記間紙ピッカと前記画像記録可能媒体との間の限定された空間に前記間紙を折り曲げるのを開始するステップと、
前記リトラクションローラを回転させることによって前記間紙を捕捉するステップと
を含むことを特徴とする方法。
【請求項２】
請求項１に記載の方法であって、前記間紙のうち前記リトラクションローラに最も近い部分に、限定された折り目を作るステップを含むことを特徴とする方法。
【請求項３】
請求項２に記載の方法であって、前記リトラクションローラが、前記限定された折り目を作る間に前記画像記録可能な材料上に圧力をかけるのを止めることを特徴とする方法。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
基板上の少なくとも一部に塗膜を含む基板であって、前記塗膜は、次の一般式を有するフッ素化アクリレートランダムコポリマーを含み、
ＸＡｗＢｘＣｙＤｚＴ
式中、
Ｘは反応開始剤の残渣又は水素であり、
Ａは１つ以上の２価のフルオロケミカルアクリレートモノマーから誘導したユニットを表わし、
Ｂは官能基を持つ１つ以上の２価のアクリレートモノマーから誘導したユニットを表わし、
Ｃは炭化水素基を持つ１つ以上の２価の非フッ素化アクリレートモノマーから誘導したユニットを表わし、
Ｄは１つ以上の硬化剤から誘導したユニットを表わし、
Ｔは官能末端基又は上記で定義したＸを表わし、
ｗは１〜２００の整数であり、
ｘは１〜３００の整数であり、
ｙは１〜１００の整数であり、
ｚは０〜３０の整数であり、
式中、Ｃはホモポリマーが２０℃以下のガラス転移温度を有するモノマーからなる群から選択される、基板。
【請求項２】
粒子汚染を低減する方法であって、
ハードディスクドライブアセンブリ、ＭＥＭＳデバイス、エレクトロニクス用プロセス機器、又はプリント回路カードアセンブリのうちの少なくとも１つを提供する工程と、
ハードディスクドライブアセンブリ、ＭＥＭＳデバイス、エレクトロニクス用プロセス機器、又はプリント回路カードアセンブリのうちの少なくとも１つのアセンブリの少なくとも一部に塗膜を塗布する工程と、
を含み、
前記塗膜が次の一般式を有するフッ素化アクリレートランダムコポリマーを含み、
ＸＡａＢｂＣｃＤｄＴｅ
式中、
Ｘは反応開始剤の残渣又は水素であり、
Ａは１つ以上の２価のフルオロケミカルアクリレートモノマーから誘導したユニットを表わし、
Ｂは官能基を持つ１つ以上の２価のアクリレートモノマーから誘導したユニットを表わし、
Ｃは炭化水素基を持つ１つ以上の２価の非フッ素化アクリレートモノマーから誘導したユニットを表わし、
Ｄは１つ以上の硬化剤から誘導したユニットを表わし、
Ｔは官能末端基又は上記で定義したＸを表わし、
ａ＋ｂ＋ｃ＋ｄ＋ｅ＝１であって、０．２０≦ａ≦０．９０、０．０５≦ｂ≦０．２５、０．０５≦ｃ≦０．６５、０．０００５≦ｄ≦０．０３及び０．００２５≦ｅ≦０．２０であり、
式中、ａ、ｂ、ｃ、ｄ及びｅはそれぞれＡ、Ｂ、Ｃ、Ｄ及びＴの重量％であり、
式中、Ｃはホモポリマーが２０℃以下のガラス転移温度を有するモノマーからなる群から選択される、方法。
【手続補正書】
【提出日】平成24年1月19日(2012.1.19)
【手続補正１】
【補正対象書類名】特許請求の範囲
【補正対象項目名】請求項１５
【補正方法】変更
【補正の内容】
【請求項１５】
（ａ）前記カバーを取り外す工程は、前記第１媒体パックの上流側部の液体を溜めチャンバまで排液するために、排液バルブ（３６）を開ける工程を含み、
（ｂ）前記カバーを取り外す工程は、前記第１媒体パックの下流側部の液体を溜めチャンバまで排液するために、排液バルブ（３３６）を開ける工程を含むことを特徴とする請求項１４に記載の方法。
【手続補正書】
【提出日】平成24年1月27日(2012.1.27)
【手続補正１】
【補正対象書類名】特許請求の範囲
【補正対象項目名】請求項１
【補正方法】変更
【補正の内容】
【請求項１】
水性コロイド状貴金属懸濁物の製造方法において、有機溶媒の不存在下で、官能化された水溶性四級アンモニウム塩を使用して、水溶液中の貴金属の塩を還元して、元素のナノ粒子を形成することを含む前記方法。
【手続補正２】
【補正対象書類名】特許請求の範囲
【補正対象項目名】請求項１０
【補正方法】変更
【補正の内容】
【請求項１０】
貴金属の量が、触媒の０．０１〜１０重量％、好ましくは０．５〜５重量％である、請求項８又は９に記載の方法。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
スラブストック発泡体の製造方法であって、
下側が開いている容器を、発泡ボックスの底部に配置し、
上記容器を、反応成分で満たし、その後、取り除くものであり、
使用される容器において、その水平断面外形が、少なくとも３つの角部を備えた基礎体を根幹として、少なくとも１つの角部の領域に設けられている、突起（３）によって、表されている、
ことを特徴とする、製造方法。
【請求項２】
スラブストック発泡体の不連続な製造のための装置であって、
発泡ボックスと、発泡ボックス内に配置される蓋（１１）と、を備えており、
蓋（１１）は、容器の外形に一致する開口部（１２）を、備えており、
容器の水平断面外形が、少なくとも３つの角部を備えた基礎体を根幹として、少なくとも１つの角部の領域に設けられている、突起（３）によって、表されている、
ことを特徴とする、製造装置。
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
骨再生をその必要性のある対象において促進させるための治療有効量のエリスロポエチンおよびフィブロネクチンの使用であって、
（ｉ）前記エリスロポエチンの前記治療有効量が、全身投与については約１μｇ／Ｋｇ〜５０μｇ／Ｋｇからなる群から選択され、局所投与については約０．１μｇ／ｍｌ〜５０μｇ／ｍｌからなる群から選択され、かつ、
（ｉｉ）前記フィブロネクチンの前記治療有効量が、全身投与については約１００μｇ／ｍｌ〜１０００μｇ／ｍｌからなる群から選択され、局所投与については約５０μｇ／ｍｌ〜５００μｇ／ｍｌからなる群から選択される。
【請求項２】
治療有効量のＰＤＧＦをさらに含む、請求項１に記載の使用。
【請求項３】
前記ＰＤＧＦの前記治療有効量が、全身投与については約１０ｎｇ／ｍｌ〜１００ｎｇ／ｍｌからなる群から選択され、局所投与については約１ｎｇ／ｍｌ〜５０ｎｇ／ｍｌからなる群から選択される、請求項２に記載の使用。
【請求項４】
前記全身投与が、静脈内注入および骨内注入からなる群から選択される、請求項１又は３に記載の使用。
【請求項５】
前記局所投与が、被覆されたインプラント、被覆された合成骨、および、被覆された骨移植片からなる群から選択される、請求項１又は３に記載の使用。
【請求項６】
骨再生を促進させることができる少なくとも１つの化合物を投与することをさらに含む、請求項１に記載の使用。
【請求項７】
前記少なくとも１つの化合物が、骨形態形成因子、骨形態形成タンパク質（ＢＭＰ）、再吸収防止剤、骨形成因子、軟骨由来骨形態形成タンパク質、副甲状腺ホルモン、インスリン様増殖因子−Ｉ（ＩＧＦ−Ｉ）、線維芽細胞増殖因子（ＦＧＦ）、形質転換増殖因子、ノギン系化合物、骨形成性成長ペプチド、成長ホルモン、エストロゲン系化合物、ビスホスホナート系化合物、スタチン系化合物、カルシトニン系化合物、ジヒドロキシビタミンＤ３系化合物、カルシウム調製物および分化因子からなる群から選択される、請求項６に記載の使用。
【請求項８】
前記ＢＭＰは、ＢＭＰ２、ＢＭＰ４およびＢＭＰ７を含む、請求項７に記載の使用。
【請求項９】
前記対象は、骨粗鬆症、骨折または骨欠損症、原発性または二次的な副甲状腺機能亢進症、変形性関節炎、歯周病または歯周欠損、骨溶解性骨疾患、形成外科手術後、整形外科埋め込み後および歯科埋め込み後からなる群から選択される医学的状態を有する、請求項１に記載の使用。
【請求項１０】
前記対象はヒトである、請求項１に記載の使用。
【請求項１１】
前記エリスロポイエチンおよび前記フィブロネクチンは共配合物である、請求項１に記載の使用。
【請求項１２】
前記エリスロポイエチンおよび前記フィブロネクチンは別個の配合物に存在する、請求項１に記載の使用。
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
非ジンセノサイド画分及びジンセノサイド画分からなる、対象への投与に適した、ジンセノサイド組成物であって、該ジンセノサイド画分が、基本的にRb1、Rb2、Rc及びRdからなる、前記ジンセノサイド組成物。
【請求項２】
前記ジンセノサイド組成物が医薬組成物であり、かつ前記非ジンセノサイド画分が、医薬として許容し得る担体、賦形剤、希釈剤、又は溶媒を含む、請求項1記載のジンセノサイド組成物。
【請求項３】
前記ジンセノサイド組成物が、対象への経口投与に適している、請求項1記載のジンセノサイド組成物。
【請求項４】
前記ジンセノサイド組成物が、栄養補助食品組成物であり、かつ前記非ジンセノサイド画分が、生理学的に許容し得る担体、賦形剤、希釈剤、又は溶媒を含む、請求項1記載のジンセノサイド組成物。
【請求項５】
前記非ジンセノサイド画分が、グルタミン又はシリマリンを更に含む、請求項1記載のジンセノサイド組成物。
【請求項６】
包装材料及び請求項2又は4記載のジンセノサイド組成物を含む、製造品。
【請求項７】
対象におけるアセトアルデヒド濃度の減少速度を増加させるための、請求項1記載のジンセノサイド組成物。
【請求項８】
対象における高アセトアルデヒド濃度の症状を予防する、又は寛解させるための、請求項1記載のジンセノサイド組成物。
【請求項９】
エチルアルコールの摂取に起因する疾患又は障害に対する患者の危険を低減させるための、請求項1記載のジンセノサイド組成物であって、前記アセトアルデヒドが、該対象によるエチルアルコール消費の生成物であり、かつアセトアルデヒドの異化反応を増加させることで、該対象における、エチルアルコールの摂取に起因する疾患又は障害の危険を低減させる、前記ジンセノサイド組成物。
【請求項１０】
前記対象がヒトである、請求項7〜9のいずれか一項記載のジンセノサイド組成物。
【請求項１１】
前記対象が、変化したエチルアルコール代謝を有する、請求項7〜9のいずれか一項記載のジンセノサイド組成物。
【請求項１２】
前記対象が、アルデヒド脱水素酵素サブタイプ2（ALDH2）活性が低下している、請求項11記載のジンセノサイド組成物。
【請求項１３】
前記アセトアルデヒドが、前記対象におけるエチルアルコール異化反応の生成物である、請求項7又は8記載のジンセノサイド組成物。
【請求項１４】
前記対象が、たばこの煙中又は該対象の外部環境中のアセトアルデヒドに曝露される、請求項7又は8記載のジンセノサイド組成物。
【請求項１５】
高アセトアルデヒド濃度の症状が、紅潮、高心拍数、動悸、低血圧、悪心、眩暈、頭痛、嘔吐、下痢、胃の不調、運動失調、又は意識の混乱を含む、請求項8記載のジンセノサイド組成物。
【請求項１６】
前記疾患又は障害が、宿酔、アルコール性胃炎又はアルコール性肝臓障害を含む、請求項9記載のジンセノサイド組成物。
【請求項１７】
前記疾患又は障害が、上気道消化管癌、消化管癌又は乳癌を含む、請求項9記載のジンセノサイド組成物。
【請求項１８】
前記上気道消化管癌が、食道癌、中咽頭癌、下咽頭癌、喉頭癌、頭部癌、又は頸部癌を含む、請求項17記載のジンセノサイド組成物。
【請求項１９】
前記消化管癌が、胃癌又は結腸癌を含む、請求項17記載のジンセノサイド組成物。
【請求項２０】
前記疾患又は障害が、遅発型アルツハイマー病、高血圧、心筋梗塞、パーキンソン病、筋萎縮性側索硬化症、及び脳虚血を含む、請求項9記載のジンセノサイド組成物。
【請求項２１】
前記アセトアルデヒド濃度が、前記対象の血中、唾液中及び/又は組織中におけるものである、請求項7又は8記載のジンセノサイド組成物。
【請求項２２】
1日あたり、前記対象の体重1キログラムあたり、約0.1μg〜約100mgのジンセノサイドが投与されるように調製されている、請求項7〜9のいずれか一項記載のジンセノサイド組成物。
【請求項２３】
1日あたり約400ミリグラム〜約2グラムのグルタミンと組み合わせて投与されるように調製されている、請求項22記載のジンセノサイド組成物。
【請求項２４】
1日あたり、約20ミリグラム〜約800ミリグラムのシリマリンと組み合わせて投与されるように調製されている、請求項22記載のジンセノサイド組成物。
【手続補正２】
【補正対象書類名】明細書
【補正対象項目名】００３９
【補正方法】変更
【補正の内容】
【００３９】
いくつかの実施態様において、プロトパナキサジオール系ジンセノサイドとプロトパナキサトリオール系ジンセノサイド類との比は、約100:0〜25:27、又は約75:25〜約50:60である。提供されるジンセノサイド組成物の特定の実施態様において、プロトパナキサジオール系ジンセノサイドとプロトパナキサトリオール系との比は、約90:10、約80:20、又は約60:40である。
【手続補正３】
【補正対象書類名】明細書
【補正対象項目名】０１６１
【補正方法】変更
【補正の内容】
【０１６１】
対象2は、飲酒時の紅潮応答の病歴を自己申告した23歳の男性である。対象2は、時折少量のアルコールを飲むこともあると自身を述べている。対象2は、上記の工程A1及びG2を行った。飲酒に対する心拍数及び紅潮の評価の応答を表2に報告する。
【表２】
2011510075.tif 000001
【手続補正４】
【補正対象書類名】明細書
【補正対象項目名】０１６２
【補正方法】変更
【補正の内容】
【０１６２】
飲酒前に、ジンセノサイド組成物を摂取した後、対象2は、ジンセノサイド組成物を摂取せずに飲酒した場合に、通常起こる紅潮において、顕著な減少を経験したと報告した（表1）。図5Bに示すように、対象2のアルコールに対して応答した最大心拍数は、ジンセノサイド組成物の非存在下で当量のアルコールを飲んだ場合（黒四角）より、ジンセノサイド組成物を摂取後に大きく低下した（丸）。
【手続補正書】
【提出日】平成24年2月8日(2012.2.8)
【手続補正１】
【補正対象書類名】特許請求の範囲
【補正対象項目名】請求項１
【補正方法】変更
【補正の内容】
【請求項１】
式Ａの化合物またはその医薬的に許容される塩であって、  
【化１】
2011510079.tif 000001
前記化合物が、以下の表に示す化合物の任意の一つから選択される化合物またはその医薬的に許容される塩。
【表１−１】
2011510079.tif 000002
【表１−２】
2011510079.tif 000003
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
被検体の、ヒト免疫不全ウイルス（ＨＩＶ）および／またはＢ型肝炎ウイルス（ＨＢＶ）感染を治療するための医薬組成物であって、
（ａ）以下の式
【化１】
2011510077.tif 000001
で示される第１の抗ウイルス化合物、もしくはその製薬上許容される塩と、
（ｂ）少なくとも１種類のさらなる抗ウイルス活性薬と、
（ｃ）製薬上許容されるキャリアと
を含む医薬組成物。
【請求項２】
前記１種類以上のさらなる抗ウイルス活性薬が、ＨＩＶ−プロテアーゼ阻害剤、ヌクレオシド逆転写酵素阻害剤、非ヌクレオシド逆転写酵素阻害剤、インテグラーゼ阻害剤、エントリー阻害剤、融合阻害剤、成熟阻害剤、およびそれらの組み合わせからなる群から選択される、請求項１に記載の医薬組成物。
【請求項３】
前記１種類以上のさらなる抗ウイルス活性薬が、ラミブジン、アバカビル、ジドブジン、スタブジン、ザルシタビン、ジダノシン、エムトリシタビン、テノホビル、デラビルジン、エファビレンツ、エトラビリン、ネビラピン、アンプレナビル、アタザナビル、ダルナビル、インジナビル、ロピナビル、ネルフィナビル、リトナビル、サキナビル、チプラナビル、マラビロク、エンフビルチド、およびラルテグラビルからなる群から選択される、請求項１または２に記載の医薬組成物。
【請求項４】
前記被検体が、前記ＨＩＶまたはＨＢＶ感染に対する抗ウイルス活性薬をこれまで投与されておらず、
前記抗ウイルス化合物が、前記ＨＩＶおよび／またはＨＢＶ感染を治療し、かつ、前記被験体において前記抗ウイルス化合物に対する耐性の発生を少なくとも実質的に阻害するために十分な量で前記被検体に投与される、請求項１〜３のいずれか一項に記載の医薬組成物。
【請求項５】
前記被検体が、ＨＩＶまたはＨＢＶ感染のための少なくとも１種類のその他の抗ウイルス化合物の前記被験体への事前投与に応答して、前記少なくとも１種類のその他の抗ウイルス化合物に対する耐性または毒性応答を生じており、
前記抗ウイルス化合物が、前記被験体において前記抗ウイルス化合物に対する耐性のさらなる発生を少なくとも実質的に阻害するために十分な量で前記被検体に投与される、請求項１〜３のいずれか一項に記載の医薬組成物。
【請求項６】
前記感染が、前記被験体の特権細胞区画もしくは特権組織区画にあり、
前記抗ウイルス化合物が、前記ＨＩＶおよび／またはＨＢＶ感染を治療し、かつ、前記被験体において抗ウイルス化合物に対する耐性の発生を少なくとも実質的に阻害するために十分な量で前記被験体に投与され、かつ１種類以上のさらなる抗ウイルス活性薬と前記抗ウイルス化合物とが同時に前記被験体に投与される、請求項１〜３のいずれか一項に記載の医薬組成物。
【請求項７】
前記被験体が免疫不全症である、請求項４〜６のいずれか一項に記載の医薬組成物。
【請求項８】
前記ウイルスがＨＢＶである、請求項４〜６のいずれか一項に記載の医薬組成物。
【請求項９】
前記被験体がＨＢＶとＨＩＶとの両方に感染し、前記第１の抗ウイルス化合物が前記ＨＢＶとＨＩＶとの両方を治療するために有効な量で投与される、請求項４〜６のいずれか一項に記載の医薬組成物。
【請求項１０】
前記被験体が子宮内にあり、前記第１の抗ウイルス化合物が、前記被験体を子宮内に保有する母親に投与される、請求項４〜６のいずれか一項に記載の医薬組成物。
【請求項１１】
前記特権区画が、前記ウイルスがｉｎ ｖｉｖｏで透過し、前記抗ウイルス化合物が前記ウイルスの不在下ではｉｎ ｖｉｖｏで効率的に透過せず、かつ前記抗ウイルス化合物が前記ウイルスに結合する場合に前記抗ウイルス化合物がｉｎ ｖｉｖｏで前記ウイルスにより運ばれる細胞または組織の区画である、請求項６に記載の医薬組成物。
【請求項１２】
前記特権区画が、脳、リンパ組織、および精巣からなる群から選択される組織区画である、請求項６に記載の医薬組成物。
【請求項１３】
前記特権区画が、樹状細胞、ミクログリア、単球／マクロファージ、それらの組み合わせ、および脂質にコンジュゲートされていない抗ウイルス化合物で効果なく治療されたその他の細胞種からなる群から選択される細胞区画である、請求項６に記載の医薬組成物。
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
下記の構造を有する化合物またはその製薬上許容し得る塩またはそのプロドラッグ：
【化１】
2011510085.tif 000001
(式中、Yは、下記：
【化２】
2011510085.tif 000002
であり；
Aは、‐(CH2)6‐、シス‐CH2CH=CH‐(CH2)3‐または‐CH2C≡C‐(CH2)3‐であり、これらにおいて、１個または２個の炭素原子は、SまたはOによって置換し得；或いは、Aは、‐(CH2)m‐Ar‐(CH2)o‐であり、式中、Arはインターフェニレンまたは単環式ヘテロインターアリーレンであり、mとoの和は1、2、3または4であり、１個のCH2はSまたはOによって置換し得；
Eは、SO2、COまたはCSであり；
Gは、1、2、3、4、5、6、7、8、9または10個の炭素原子を有するアルキル、アリールまたはヘテロアリールであり；そして、
Bは、置換アリールまたは置換ヘテロアリールである)。
【請求項２】
下記の構造を有する請求項１記載の化合物またはその製薬上許容し得る塩またはそのプロドラッグ：
【化３】
2011510085.tif 000003
(式中、Rは、水素またはC1‐10ヒドロカルビルである)。
【請求項３】
下記の構造を有する請求項１記載の化合物またはその製薬上許容し得る塩またはそのプロドラッグ：
【化４】
2011510085.tif 000004
(式中、Rは、水素またはC1‐10ヒドロカルビルである)。
【請求項４】
Aが、(3‐メチルフェノキシ)メチル、(4‐ブチ‐2‐イニルオキシ)メチル、2‐(2‐エチルチオ)チアゾール‐4‐イル、2‐(3‐プロピル)チアゾール‐5‐イル、3‐メトキシメチル)フェニル、3‐(3‐プロピルフェニル、3‐メチルフェネチル、4‐(2‐エチル)フェニル、4‐フェネチル、4‐メトキシブチル、5‐(メトキシメチル)フラン‐2‐イル、5‐(メトキシメチル)チオフェン‐2‐イル、5‐(3‐プロピル)フラン‐2‐イル、5‐(3‐プロピル)チオフェン‐2‐イル、6‐ヘキシル、および(Z)‐6‐ヘキセ‐4‐エニルからなる群から選ばれる、請求項１記載の化合物。
【請求項５】
Bが、4‐(1‐ヒドロキシ‐2,2‐ジメチルプロピル)フェニル、4‐(1‐ヒドロキシ‐2‐メチルプロパン‐2‐イル)フェニル、4‐(1‐ヒドロキシ‐2‐メチルプロピル)フェニル、4‐(1‐ヒドロキシブチル)フェニル、4‐(1‐ヒドロキシヘプチル)フェニル、4‐(1‐ヒドロキシヘキシル)フェニル、4‐(1‐ヒドロキシペンチル)フェニル、4‐(1‐ヒドロキシプロピル)フェニル、4‐(3‐ヒドロキシ‐2‐メチルヘプタン‐2‐イル)フェニル、4‐(3‐ヒドロキシ‐2‐メチルオクタン‐2‐イル)フェニル、1‐ヒドロキシ‐2,3‐ジヒドロ‐1H‐インデン‐5‐イル、2,3‐ジヒドロ‐1H‐インデン‐5‐イル、3‐(ヒドロキシ(1‐プロピルシクロブチル)メチル)フェニル、4‐(1‐ヒドロキシ‐5,5‐ジメチルヘキシル)フェニル、4‐(ヒドロキシ(1‐プロピルシクロブチル)メチル)フェニル、4‐tert‐ブチルフェニル、4‐ヘキシルフェニル、4‐(1‐ヒドロキシ‐2‐フェニルエチル)フェニル、4‐(1‐ヒドロキシ‐3‐フェニルプロピル)フェニル、4‐(1‐ヒドロキシシクロブチル)フェニル、4‐(2‐シクロヘキシル‐1‐ヒドロキシエチル)フェニル、4‐(3‐シクロヘキシル‐1‐ヒドロキシプロピル)フェニル、4‐(シクロヘキシル(ヒドロキシ)メチル)フェニル、4‐(シクロヘキシルメチル)フェニル、および4‐(ヒドロキシ(フェニル)メチル)フェニルからなる群から選ばれる、請求項１記載の化合物。
【請求項６】
下記の構造を有する請求項１記載の化合物：
【化５】
2011510085.tif 000005
。
【請求項７】
下記の構造を有する請求項１記載の化合物：
【化６】
2011510085.tif 000006
。
【請求項８】
下記の構造を有する請求項１記載の化合物：
【化７】
2011510085.tif 000007
。
【請求項９】
下記の構造を有する請求項１記載の化合物：
【化８】
2011510085.tif 000008
。
【請求項１０】
下記の構造を有する請求項１記載の化合物：
【化９】
2011510085.tif 000009
。
【請求項１１】
下記の構造を有する請求項１記載の化合物：
【化１０】
2011510085.tif 000010
。
【請求項１２】
下記の構造を有する請求項１記載の化合物：
【化１１】
2011510085.tif 000011
。
【請求項１３】
下記の構造を有する請求項１記載の化合物：
【化１２】
2011510085.tif 000012
。
【請求項１４】
哺乳類の緑内障または高眼圧症の治療用組成物製造のための、請求項１記載の化合物の使用。
【請求項１５】
下記からなる群から選ばれる式を有する脱毛症の治療用組成物：
【化１３】
2011510085.tif 000013
【化１４】
2011510085.tif 000014
【化１５】
2011510085.tif 000015
【化１６】
2011510085.tif 000016
【化１７】
2011510085.tif 000017
【化１８】
2011510085.tif 000018
(各式中、Yは、下記：
【化１９】
2011510085.tif 000019
である)。
【誤訳訂正書】
【提出日】平成24年1月20日(2012.1.20)
【誤訳訂正１】
【訂正対象書類名】明細書
【訂正対象項目名】００４９
【訂正方法】変更
【訂正の内容】
【００４９】
比較例１
ＫＬａ／Ｑが１０未満である条件で反応を遂行すること以外、実施例１で説明した手順を繰り返す。
ａ）  反応器の総括物質移動容量係数（ＫＬａ）の測定
二重ジャケット、ポンプ及びエジェクターを含む液相のための外部ループ、及びエジェクターに接続された気相のための外部ループを備えた、予め窒素でパージされた２０Ｌのエナメル鋼製の気液反応器中に、亜硫酸ナトリウム（Ｎａ２ＳＯ３）０．８モル／Ｌ及び硫酸コバルト（ＣｏＳＯ４）１．１０−６モル／Ｌを含有する水溶液１０Ｌを投入する。外部循環は、２００Ｌ／時で開始し、そしてその反応器を、酸素で２バールに加圧する。圧力は酸素の流量を調整することによって２００ｋＰａ（２バール）に一定に維持する。反応器の総括物質移動容量係数を計算するために亜硫酸ナトリウムの消費量を測定する。
【誤訳訂正２】
【訂正対象書類名】明細書
【訂正対象項目名】００５５
【訂正方法】変更
【訂正の内容】
【００５５】
実施例２
実施例１に記載した反応器をＫＬａ、９３２ｈ−１、及び外部ループ中の流量５００Ｌ／時で使用する。この反応器中に、グリオキサールを４０重量％含有する水溶液７２５０ｇ、塩酸を３７重量％含有する水溶液３４００ｇ、及び水２６１０ｇを投入する。この混合物を二重ジャケットによって４７℃に加熱する。その後、６８重量％硝酸を含有する水溶液１４０ｇを加える。１０分後、水１５０ｇ中のＮａＮＯ２６ｇの溶液を導入し、そして反応器を酸素で４００ｋＰａ（４バール）に加圧する。温度を４８±１℃に一定に維持することによって、二重ジャケット中で交換された冷却負荷は２２５０Ｗ（Ｑ＝４５ワット／グリオキサール１モル）となる。必要に応じ酸素を３２２ＮＬ／時（１時間毎のＮｏｍｏＬｉｔｒｅ）添加することによって、圧力は４００ｋＰａ超で一定に維持される。約３６分かけて２１５ＮＬ（ＮｏｒｍｏＬｉｔｒｅ）の酸素を添加した後、二重ジャケット中で交換された熱負荷を一定に保つために約１時間で５５℃に達するように反応媒体を加熱する。添加された酸素の量が５２５ＮＬ（ＮｏｒｍｏＬｉｔｒｅ）に達すると、約２０分で６５℃に達するように温度を高める。６２８ＮＬに達したとき酸素の添加を停止する。
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
非ヒト動物においてグラム陽性バクテリアにより引き起こされる腸感染症を処置し又は予防する為に、
式１
2011510045.tif 000001
に従うラクチレート又はそのＮａ、Ｋ、Ｃａ、Ｍｇ、Ｆｅ（ＩＩ）、Ｚｎ、ＮＨ４、若しくはＣｕ（ＩＩ）の塩、
式２
2011510045.tif 000002
のグリコリレート又はそのＮａ、Ｋ、Ｃａ、Ｍｇ、Ｆｅ（ＩＩ）、Ｚｎ、ＮＨ４、若しくはＣｕ（ＩＩ）の塩、
式３
2011510045.tif 000003
のラクテートエステル、
及び／又は
式４
2011510045.tif 000004
のグリコール酸エステル
から選ばれる抗バクテリア化合物を使用する方法、
ここで上記式においてＲ１がＨから選択され、ｎは１〜１０の値の整数を表し、且つ、Ｒ２は分枝していてもよく又は分枝していなくてもよいＣ１〜Ｃ３５のアルキル又はアルケニル鎖を表す。
【請求項２】
該抗バクテリア化合物が、式１のラクチレート又はそのＮａ、Ｋ、Ｃａ、Ｍｇ、Ｆｅ（ＩＩ）、Ｚｎ、ＮＨ４、若しくはＣｕ（ＩＩ）の塩である、請求項１に記載の方法。
【請求項３】
Ｒ２がＣ６〜Ｃ１８のアルキル又はアルケニル鎖である、請求項１又は２に記載の方法。
【請求項４】
ｎが１、２、又は３である、請求項１又は２に記載の方法。
【請求項５】
動物においてグラム陽性バクテリアにより引き起こされる腸感染症を予防し又は処置する剤であって、請求項１〜４のいずれか１項に定義された抗バクテリア化合物を含む前記剤。
【請求項６】
動物においてグラム陽性バクテリアにより引き起こされる腸感染症を予防し又は処置する為の組成物の製造の為に、請求項１〜４のいずれか１項に定義された抗バクテリア化合物を使用する方法。
【請求項７】
請求項１〜４のいずれか１項に定義された抗バクテリア化合物を含む、動物においてグラム陽性バクテリアにより引き起こされる腸感染症を予防し又は処置する為の組成物。
【請求項８】
請求項１〜４のいずれか１項に定義された抗バクテリア化合物の有効量を動物に与えることを含む、非ヒト動物においてグラム陽性バクテリアにより引き起こされる腸感染症を予防し又は処置する為の方法。
【請求項９】
該グラム陽性バクテリアがＣｌｏｓｔｒｉｄｉａ属のものである、請求項１〜４、６、及び８のいずれか１項に記載された方法。
【請求項１０】
該動物がウシ又は家禽から選ばれる、請求項１〜４、６、及び８のいずれか１項に記載の方法。
【請求項１１】
非ヒト動物の成長を増す為の方法であって、請求項１〜４のいずれか１項に定義された抗バクテリア化合物の有効量を該動物に与えることを含む、前記方法。
【請求項１２】
請求項１〜４のいずれか１項に定義された抗バクテリア化合物の有効量を該動物に与えることによって腸内のグラム陽性バクテリアを抑制することにより、該動物の成長が増される、請求項１１に記載の方法。
【請求項１３】
請求項１〜４のいずれか１項に定義された抗バクテリア化合物の有効量を該動物に与えることによって腸内のＬａｃｔｏｂａｃｉｌｌｕｓ種を抑制することにより、該動物の成長が増される、請求項１２に記載の方法。
【請求項１４】
非ヒト動物における壊死性腸炎に対して、請求項１〜４のいずれか１項に定義された抗バクテリア化合物を使用する方法。
【請求項１５】
飼料対獲得比を非ヒト動物において改善する為に、請求項１〜４のいずれか１項に定義された抗バクテリア化合物を使用する方法。
【請求項１６】
動物飼料において施与されたアミノ酸の消化率を非ヒト動物において改善する為に、請求項１〜４のいずれか１項に定義された抗バクテリア化合物を使用する方法。
【請求項１７】
コムギ、デンプン、肉及び骨粉、トウモロコシ、ヒマワリ粉末、コーン、穀草類、オオムギ、大豆粉末、タピオカ、シトラスパルプ、マメ、及びビートパルプから選ばれる１又はそれより多くの化合物と一緒に、請求項１〜４のいずれか１項に定義された抗バクテリア化合物を含む動物栄養組成物。
【請求項１８】
静コクシジウム剤と一緒に請求項１〜４のいずれか１項に定義された抗バクテリア化合物を含む動物栄養組成物。
【請求項１９】
請求項１〜４のいずれか１項に定義された抗バクテリア化合物を含む動物栄養組成物であって、該抗バクテリア化合物が担体上に存在する、前記組成物。
【請求項２０】
請求項１〜４のいずれか１項に定義された抗バクテリア化合物を含む動物栄養組成物であって、該抗バクテリア化合物が植物油を有する混合物中に添加される、前記組成物。
【請求項２１】
請求項１〜４のいずれか１項に定義された抗バクテリア化合物を含む動物栄養組成物であって、該抗バクテリア化合物が、該動物に与えられるそれぞれの飼料の合計重量に対して０．００１〜１重量％の量で存在する、前記組成物。
【請求項２２】
請求項１〜４のいずれか１項に定義された抗バクテリア化合物を含む動物栄養組成物であって、解離していない乳酸の存在を増加する為の窒素、硫黄及びリン含有酸から選ばれる無機酸を含まない、前記組成物。
【請求項２３】
請求項１〜４のいずれか１項に定義された抗バクテリア化合物を含む動物栄養組成物であって、該抗バクテリア化合物が、ラウロイルラクチレート、ミリストイルラクチレート、セチルラクチレート、パルミチルラクチレート、及びそれらのナトリウム塩の１又はそれより多くから選ばれるものである、前記組成物。
【請求項２４】
該グラム陽性バクテリアがＣｌｏｓｔｒｉｄｉａ属のものである、請求項５に記載された剤又は請求項７に記載された組成物。
【請求項２５】
該動物がウシ又は家禽から選ばれる、請求項５に記載された剤又は請求項７に記載された組成物。
【請求項２６】
動物の成長を増す剤であって、請求項１〜４のいずれか１項に定義された抗バクテリア化合物の有効量を含む、前記剤。
【請求項２７】
請求項１〜４のいずれか１項に定義された抗バクテリア化合物の有効量を該動物に与えることによって腸内のグラム陽性バクテリアを抑制することにより、該動物の成長が増される、請求項２６に記載の剤。
【請求項２８】
請求項１〜４のいずれか１項に定義された抗バクテリア化合物の有効量を該動物に与えることによって腸内のＬａｃｔｏｂａｃｉｌｌｕｓ種を抑制することにより、該動物の成長が増される、請求項２７に記載の剤。
【請求項２９】
請求項１〜４のいずれか１項に定義された抗バクテリア化合物を含む抗壊死性腸炎剤。
【請求項３０】
飼料対獲得比を改善する剤であって、請求項１〜４のいずれか１項に定義された抗バクテリア化合物を含む、前記剤。
【請求項３１】
動物飼料において施与されたアミノ酸の消化率を改善する剤であって、請求項１〜４のいずれか１項に定義された抗バクテリア化合物を含む剤。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
式(I)：
【化１】
2011510056.tif 000001
[式中、
AおよびBは、一緒になって、場合により置換された縮合芳香族環を表し；
XおよびYは、それぞれCHおよびCH、CFおよびCH、CHおよびCFならびにNおよびCHより選択され；
RCは、H、C1-4アルキルより選択され；かつ
R1は、C1-7アルキル、C3-20ヘテロシクリルおよびC5-20アリールより選択され、ここでこれらの基は場合により置換されている]
の化合物。
【請求項２】
-A-B-が、炭素環原子のみからなる、請求項1に記載の化合物。
【請求項３】
-A-B-がベンゼン環を形成する、請求項2に記載の化合物。
【請求項４】
ベンゼン環が置換されていない、請求項3に記載の化合物。
【請求項５】
ベンゼン環が、ハロ、NH2およびC1-4アルコキシからなる群より選択される1または2個の置換基を有する、請求項3に記載の化合物。
【請求項６】
YがCHである、請求項1〜5のいずれか1項に記載の化合物。
【請求項７】
XがCHまたはCFである、請求項1〜6のいずれか1項に記載の化合物。
【請求項８】
XがNである、請求項1〜6のいずれか1項に記載の化合物。
【請求項９】
R1がHである、請求項1〜8のいずれか1項に記載の化合物。
【請求項１０】
R1が置換されたC1-7アルキル基である、請求項1〜8のいずれか1項に記載の化合物。
【請求項１１】
R1がメチルまたはエチルである、請求項10に記載の化合物。
【請求項１２】
R1がC6アリール基である、請求項1〜9のいずれか1項に記載の化合物。
【請求項１３】
C6アリール基が、フェニル、ピリジル、ピリダジニル、ピリミジニルおよびピラジニルより選択される、請求項12に記載の化合物。
【請求項１４】
請求項1〜13のいずれか1項に記載の化合物および製薬上許容される担体または希釈剤を含む医薬組成物。
【請求項１５】
人体または動物体の治療の方法に使用するための、請求項1〜13のいずれか1項に記載の化合物。
【請求項１６】
PARPの活性を阻害するための医薬の調製における、請求項1〜13のいずれか1項に記載の化合物の使用。
【請求項１７】
血管疾患；敗血症性ショック；虚血性傷害；神経毒性；出血性ショック；ウイルス感染；またはPARPの活性の阻害により改善される疾患の治療のための医薬の調製における、請求項1〜13のいずれか1項に記載の化合物の使用。
【請求項１８】
癌治療における補助剤として使用するための、または電離放射線もしくは化学療法剤による治療効果に対して腫瘍細胞を増強するための医薬の調製における、請求項1〜13のいずれか1項に記載の化合物の使用。
【請求項１９】
個体における癌の治療に使用するための医薬の製造における請求項1〜13のいずれか1項に記載の化合物の使用であって、該癌が、HR依存性DNA DSB修復経路が欠損しているものである、前記使用。
【請求項２０】
該癌が、正常な細胞と比較して、HRによるDNA DSBを修復する能力が減少しているかまたは抑止されている1個以上の癌細胞を含む、請求項19に記載の使用。
【請求項２１】
該癌細胞が、BRCA1またはBRCA2欠損表現型を有する、請求項20に記載の使用。
【請求項２２】
該癌細胞が、BRCA1またはBRCA2欠損である、請求項21に記載の使用。
【請求項２３】
該個体が、HR依存性DNA DSB修復経路の構成要素をコードする遺伝子における突然変異に関してヘテロ接合である、請求項19〜22のいずれか1項に記載の使用。
【請求項２４】
該個体が、BRCA1および／またはBRCA2における突然変異に関してヘテロ接合である、請求項23に記載の使用。
【請求項２５】
該癌が、乳癌、卵巣癌、膵臓癌または前立腺癌である、請求項19〜24のいずれか1項に記載の使用。
【請求項２６】
該治療がさらに電離放射線または化学療法剤の投与を含む、請求項19〜25のいずれか1項に記載の使用。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
アルファ2Bアドレナリン受容体及びアルファ2Cアドレナリン受容体の選択的サブタイプモジュレーションと関連している疾患を治療する為の医薬組成物の製造の為の下記構造を有する少なくとも１つの化合物、又はその医薬的に許容され得る塩の使用:
【化１】
2011510013.tif 000001
(式中、XはO、S、又はNHであり;
Z1-Z6は、各々独立して、C、N、O、又はSであるが、Z1-Z6の少なくとも1つはNであり;
n及びmは、各々独立して、1〜5であり;
pは、0又は1であり;
R1及びR2は、各々独立して、H、低級アルキル、低級アルケニル、低級アルキニル、ハライド、ヒドロキシ、アルコキシ、トリフルオロオメチル、-N(R6)2、-CN、-CO2R6、又は-CH2OHであるか; 又は
nが2である場合、各R1はこれらが結合している炭素原子と一緒になって縮合アリール、置換アリール、ヘテロアリール、置換ヘテロアリール、シクロアルキル、置換シクロアルキル、複素環、又は置換複素環を形成し;
R3、R4、R5、及びR6は、各々独立して、H又は低級アルキルである)。
【請求項２】
pが1である、請求項1に記載の使用。
【請求項３】
R1が、H、低級アルキル、クロロ、フルオロ、トリフルオロメチル、又はメトキシである、請求項1に記載の使用。
【請求項４】
アルファ2Bアドレナリン受容体及びアルファ2Cアドレナリン受容体の選択的サブタイプモジュレーションと関連している疾患を治療する為の医薬組成物の製造の為の下記構造を有する少なくとも１つの化合物、又はその医薬的に許容され得る塩の使用:
【化２】
2011510013.tif 000002
(式中、Z1-Z5は、各々独立して、C、N、O、又はSであるが、Z1-Z5の少なくとも1つはNであり;
n及びmは、各々独立して、1〜5であり;
pは、0又は1であり;
R1及びR2は、各々独立して、H、低級アルキル、ハライド、ヒドロキシ、アルコキシ、又はトリフルオロオメチルである)。
【請求項５】
化合物が、下記構造のいずれか1つを有する、請求項4に記載の使用:
【化３】
2011510013.tif 000003
【請求項６】
化合物が、下記構造を有する、請求項4に記載の使用。
【化４】
2011510013.tif 000004
【請求項７】
アルファ2Bアドレナリン受容体及びアルファ2Cアドレナリン受容体の選択的サブタイプモジュレーションと関連している疾患を治療する為の医薬組成物の製造の為の下記構造を有する少なくとも１つの化合物、又はその医薬的に許容され得る塩の使用:
【化５】
2011510013.tif 000005
(式中、Z1-Z5は、各々独立して、C、N、O、又はSであるが、Z1-Z5の少なくとも1つはNであり;
n及びmは、各々独立して、1〜5であり;
pは、0又は1であり;
R1及びR2は、各々独立して、H、低級アルキル、ハライド、ヒドロキシ、アルコキシ、又はトリフルオロオメチルである)。
【請求項８】
化合物が、下記構造を有する、請求項7に記載の使用:
【化６】
2011510013.tif 000006
【請求項９】
化合物が、下記構造を有する、請求項７に記載の使用:
【化７】
2011510013.tif 000007
【請求項１０】
アルファ2Bアドレナリン受容体及びアルファ2Cアドレナリン受容体の選択的サブタイプモジュレーションと関連している疾患を治療する為の医薬組成物の製造の為の下記構造を有する少なくとも１つの化合物、又はその医薬的に許容され得る塩の使用:
【化８】
2011510013.tif 000008
(式中、Z1-Z5は、各々独立して、C、N、O、又はSであるが、Z1-Z5の少なくとも1つはNであり;
n及びmは、各々独立して、1〜5であり;
pは、0又は1であり;
R1及びR2は、各々独立して、H、低級アルキル、ハライド、ヒドロキシ、アルコキシ、又はトリフルオロオメチルである)。
【請求項１１】
化合物が、下記構造を有する、請求項10に記載の使用。
【化９】
2011510013.tif 000009
【請求項１２】
化合物が、下記構造を有する、請求項10に記載の使用。
【化１０】
2011510013.tif 000010
【請求項１３】
疾患が、緑内障、高眼圧、虚血性神経症、視神経症、疼痛、内臓痛、角膜疼痛、頭痛、片頭痛、癌疼痛、背疼痛、過敏性腸症候群疼痛、筋肉痛や糖尿病性神経障害と関連がある疼痛、糖尿病性網膜症の治療、他の網膜変性状態、卒中、認知障害、神経精神医学的状態、薬物依存性や耽溺、禁断症候群、強迫性障害、肥満症、インスリン抵抗性、ストレスに関係のある状態、下痢、多尿、鼻うっ血、痙直、注意力欠如障害、精神病、不安、うつ病、自己免疫疾患、クローン病、胃炎、アルツハイマー病、パーキンソン病、又はALSである、請求項1に記載の使用。
【請求項１４】
アルファ2Bアドレナリン受容体及びアルファ2Cアドレナリン受容体の選択的サブタイプモジュレーションと関連している疾患を治療する為の医薬組成物の製造の為の下記構造を有する少なくとも１つの化合物、又はその組み合わせ、又はその医薬的に許容され得る塩、水和物、溶媒和物、結晶形、異性体、互変異性体、エナンチオマー、又はジアステレオマーの使用:
【化１１】
2011510013.tif 000011
(式中、XはO、S、又はNHであり;
Z1-Z6は、各々独立して、C、N、O、又はSであるが、Z1-Z6の少なくとも1つはNであり;
n及びmは、各々独立して、1〜5であり;
pは、0又は1であり;
R1及びR2は、各々独立して、H、低級アルキル、低級アルケニル、低級アルキニル、ハライド、ヒドロキシ、アルコキシ、トリフルオロオメチル、-N(R6)2、-CN、-CO2R6、又は-CH2OHであるか; 又は
nが2である場合、各R1はこれらが結合している炭素原子と一緒になって縮合アリール、置換アリール、ヘテロアリール、置換ヘテロアリール、シクロアルキル、置換シクロアルキル、複素環、又は置換複素環を形成し;
R3、R4、R5、及びR6は、各々独立して、H又は低級アルキルである)。
【請求項１５】
pが1である、請求項14に記載の使用。